(57)【特許請求の範囲】
【請求項１】
高速駆動用巻線および低速駆動用巻線を含むモータと、
前記モータの前記高速駆動用巻線および前記低速駆動用巻線の接続状態の切り替えを行う巻線切替部と、
前記モータに接続される電力変換部と、
少なくとも前記モータ、前記巻線切替部および前記電力変換部が収容される複数のケース部とを備え、
前記複数のケース部は、互いに一体的に結合されており、
前記複数のケース部は、前記モータが配置される第１ケース部と、前記巻線切替部および前記電力変換部が配置される第２ケース部とを含み、
前記第２ケース部には、前記巻線切替部と前記電力変換部とを隔離する第１隔壁が設けられており、
前記第１隔壁には、前記巻線切替部および前記電力変換部に接続される配線を通過させる第１穴部が設けられており、
前記巻線切替部および前記電力変換部の制御を行う制御部をさらに備え、
前記モータ、前記巻線切替部および前記電力変換部に加えて、前記制御部も、前記複数のケース部に収容されている、モータ駆動装置。
【請求項２】
高速駆動用巻線および低速駆動用巻線を含むモータと、
前記モータの前記高速駆動用巻線および前記低速駆動用巻線の接続状態の切り替えを行う巻線切替部と、
前記モータに接続される電力変換部と、
少なくとも前記モータ、前記巻線切替部および前記電力変換部が収容される複数のケース部とを備え、
前記複数のケース部は、互いに一体的に結合されており、
前記複数のケース部は、前記モータが配置される第１ケース部と、前記巻線切替部および前記電力変換部が配置される第２ケース部とを含み、
前記複数のケース部の内部には、前記第１ケース部に配置された前記モータと、前記第２ケース部に配置された前記巻線切替部との電気的接続を取るための接続部が設けられている、モータ駆動装置。
【請求項３】
前記第２ケース部には、前記巻線切替部と前記電力変換部とを隔離する第１隔壁が設けられており、
前記電力変換部は、前記第２ケース部の前記第１隔壁に対して前記モータとは反対側の領域に配置されており、
前記巻線切替部は、前記第２ケース部の前記第１隔壁に対して前記電力変換部とは反対側の領域に配置されている、請求項１または２に記載のモータ駆動装置。
【請求項４】
前記第１ケース部および前記第２ケース部には、それぞれ、前記モータを冷却するための第１冷却部、および、前記巻線切替部および前記電力変換部を冷却するための第２冷却部が設けられている、請求項１〜３のいずれか１項に記載のモータ駆動装置。
【請求項５】
前記巻線切替部および前記電力変換部は、スイッチ素子を含み、
前記第２冷却部は、前記スイッチ素子とオーバラップするように設けられている、請求項４に記載のモータ駆動装置。
【請求項６】
前記巻線切替部および前記電力変換部の制御を行う制御部をさらに備え、
前記モータ、前記巻線切替部および前記電力変換部に加えて、前記制御部も、前記複数のケース部に収容されている、請求項２に記載のモータ駆動装置。
【請求項７】
前記巻線切替部および前記電力変換部は、スイッチ素子を含み、
前記スイッチ素子を動作させるための電源を供給する電源部をさらに備え、
前記モータ、前記巻線切替部、前記電力変換部および前記制御部に加えて、前記電源部も、前記複数のケース部に収容されている、請求項６に記載のモータ駆動装置。
【請求項８】
前記複数のケース部は、前記制御部および前記電源部が収容される第３ケース部を含む、請求項７に記載のモータ制御装置。
【請求項９】
前記第３ケース部には、前記制御部と前記電源部とを隔離する第２隔壁が設けられており、
前記制御部は、前記第３ケース部の前記第２隔壁に対して前記モータ、前記巻線切替部および前記電力変換部とは反対側の領域に配置されており、
前記電源部は、前記第３ケース部の前記第２隔壁に対して前記制御部とは反対側の領域に配置されている、請求項８に記載のモータ駆動装置。
【請求項１０】
前記第２隔壁には、前記制御部および前記電源部に接続される配線を通過させる第２穴部が設けられている、請求項９に記載のモータ駆動装置。
【請求項１１】
前記電力変換部に入力される電力を平滑化する平滑コンデンサをさらに備え、
前記平滑コンデンサは、前記第３ケース部の前記第２隔壁に対して前記制御部と同じ側の領域に配置されている、請求項９または１０に記載のモータ駆動装置。
【請求項１２】
前記巻線切替部および前記電力変換部は、スイッチ素子を含み、
前記巻線切替部および前記電力変換部の制御を行う制御部と、
前記スイッチ素子を動作させるための電源を供給する電源部とをさらに備え、
前記複数のケース部は、前記モータが配置される前記第１ケース部と、前記巻線切替部および前記電力変換部が配置される前記第２ケース部と、前記制御部および前記電源部が収容される第３ケース部とを含み、
前記第１ケース部、前記第２ケース部および前記第３ケース部は、互いに前記モータの回転軸の延びる方向に沿って結合されている、請求項１〜１１のいずれか１項に記載のモータ駆動装置。
【請求項１３】
前記第１ケース部、前記第２ケース部および前記第３ケース部は、それぞれ、前記モータの回転軸の延びる方向に沿って延びる筒状に形成されている、請求項１２に記載のモータ駆動装置。
【請求項１４】
前記第３ケース部の前記第１ケース部および前記第２ケース部とは反対側には、前記第３ケース部を密閉する第１蓋部が設けられている、請求項１２または１３に記載のモータ駆動装置。
【請求項１５】
前記複数のケース部は、前記モータと前記巻線切替部および前記電力変換部との電気的な接続をとるための接続端子部が収容される接続ケース部としての第４ケース部をさらに含み、
前記第４ケース部が前記第１ケース部と前記第２ケース部との間に配置された状態で、前記第１ケース部、前記第４ケース部、前記第２ケース部および前記第３ケース部が互いに前記モータの回転軸の延びる方向に沿って一体的に結合されている、請求項１２〜１４のいずれか１項に記載のモータ駆動装置。
【請求項１６】
前記第４ケース部の側面のうちの前記接続端子部に対応する部分には、開口が設けられており、
前記第４ケース部には、前記開口を覆う開閉可能な第２蓋部が設けられている、請求項１５に記載のモータ制御装置。
【請求項１７】
少なくとも前記複数のケース部の互いに結合されている部分は、シール部により封止されている、請求項１〜１６のいずれか１項に記載のモータ駆動装置。
【請求項１８】
前記巻線切替部および前記電力変換部は、スイッチ素子を含み、
前記巻線切替部および前記電力変換部の制御を行う制御部と、
前記スイッチ素子を動作させるための電源を供給する電源部とをさらに備え、
前記複数のケース部は、前記モータが収容される第１ケース部と、前記巻線切替部および前記電力変換部が収容される第２ケース部と、前記制御部および前記電源部が収容される第３ケース部と、前記モータと前記巻線切替部および前記電力変換部との電気的な接続をとるための接続端子部が収容される接続ケース部としての第４ケース部とを含み、
前記第３ケース部の前記第１ケース部および前記第２ケース部とは反対側には、前記第３ケース部を密閉する第１蓋部が設けられており、
前記第４ケース部の側面のうちの前記接続端子部に対応する部分には、開口が設けられており、
前記第４ケース部には、前記開口を覆う開閉可能な第２蓋部が設けられており、
前記第１ケース部、前記第２ケース部、前記第３ケース部および前記第４ケース部の互いに結合されている部分に加えて、前記第３ケース部と前記第１蓋部との間の部分、および、前記第４ケース部と前記第２蓋部との間の部分も、前記シール部により封止されている、請求項１７に記載のモータ駆動装置。
【請求項１９】
前記巻線切替部および前記電力変換部は、スイッチ素子を含み、
前記スイッチ素子は、ＳｉＣからなる半導体により構成されている、請求項１〜１８のいずれか１項に記載のモータ駆動装置。
【請求項２０】
前記電力変換部は、直流電力を交流電力に変換するインバータ部を含む、請求項１〜１９のいずれか１項に記載のモータ駆動装置。
【請求項２１】
前記複数のケース部は、締結部材によって互いに一体的に締結されることにより結合されている、請求項１〜２０のいずれか１項に記載のモータ駆動装置。
【請求項２２】
前記モータが配置された前記第１ケース部と、前記巻線切替部が配置された前記第２ケース部との間には、前記接続部が収容される接続ケース部が配置されており、
前記第１ケース部、前記接続ケース部および前記第２ケース部がこの順番で配置された状態で互いに一体的に結合されている、請求項１〜２１のいずれか１項に記載のモータ駆動装置。
【請求項２３】
車両本体部と、
前記車両本体部の内部に設けられるモータ駆動部とを備え、
前記モータ駆動部は、
高速駆動用巻線および低速駆動用巻線を含むモータと、
前記モータの前記高速駆動用巻線および前記低速駆動用巻線の接続状態の切り替えを行う巻線切替部と、
前記モータに接続される電力変換部と、
少なくとも前記モータ、前記巻線切替部および前記電力変換部が収容される複数のケース部とを含み、
前記複数のケース部は、互いに一体的に結合されており、
前記複数のケース部は、前記モータが配置される第１ケース部と、前記巻線切替部および前記電力変換部が配置される第２ケース部とを含み、
前記第２ケース部には、前記巻線切替部と前記電力変換部とを隔離する第１隔壁が設けられており、
前記第１隔壁には、前記巻線切替部および前記電力変換部に接続される配線を通過させる第１穴部が設けられており、
前記巻線切替部および前記電力変換部の制御を行う制御部をさらに備え、
前記モータ、前記巻線切替部および前記電力変換部に加えて、前記制御部も、前記複数のケース部に収容されている、車両。
【請求項２４】
車両本体部と、
前記車両本体部の内部に設けられるモータ駆動部とを備え、
前記モータ駆動部は、
高速駆動用巻線および低速駆動用巻線を含むモータと、
前記モータの前記高速駆動用巻線および前記低速駆動用巻線の接続状態の切り替えを行う巻線切替部と、
前記モータに接続される電力変換部と、
少なくとも前記モータ、前記巻線切替部および前記電力変換部が収容される複数のケース部とを含み、
前記複数のケース部は、互いに一体的に結合されており、
前記複数のケース部は、前記モータが配置される第１ケース部と、前記巻線切替部および前記電力変換部が配置される第２ケース部とを含み、
前記複数のケース部の内部には、前記第１ケース部に配置された前記モータと、前記第２ケース部に配置された前記巻線切替部との電気的接続を取るための接続部が設けられている、車両。
【請求項２５】
高速駆動用巻線および低速駆動用巻線を含むモータと、
前記モータの前記高速駆動用巻線および前記低速駆動用巻線の接続状態の切り替えを行う巻線切替部と、
前記モータに接続される電力変換部と、
少なくとも前記モータ、前記巻線切替部および前記電力変換部が収容される複数のケース部とを備え、
前記複数のケース部は、互いに一体的に結合されており、
前記複数のケース部は、前記モータが配置される第１ケース部と、前記巻線切替部および前記電力変換部が配置される第２ケース部とを含み、
前記第２ケース部には、前記巻線切替部と前記電力変換部とを隔離する第１隔壁が設けられており、
前記巻線切替部は、前記第１隔壁の一方表面に配置されており、
前記電力変換部は、前記第１隔壁の他方表面に配置されており、
前記第１隔壁には、前記巻線切替部および前記電力変換部に接続される配線を通過させる第１穴部が設けられている、モータ駆動装置。
【請求項２６】
高速駆動用巻線および低速駆動用巻線を含むモータと、
前記モータの前記高速駆動用巻線および前記低速駆動用巻線の接続状態の切り替えを行う巻線切替部と、
前記モータに接続される電力変換部と、
少なくとも前記モータ、前記巻線切替部および前記電力変換部が収容される複数のケース部とを備え、
前記複数のケース部は、互いに一体的に結合されており、
前記複数のケース部は、前記モータが配置される第１ケース部と、前記巻線切替部および前記電力変換部が配置される第２ケース部とを含み、
前記第２ケース部には、前記巻線切替部と前記電力変換部とを隔離する第１隔壁が設けられており、
前記第１隔壁には、前記巻線切替部および前記電力変換部に接続される配線を通過させる第１穴部が設けられており、
前記巻線切替部は、前記第１隔壁の一方表面に配置されており、
前記電力変換部は、前記第１隔壁の他方表面に配置されており、
前記第１穴部は、前記第１隔壁に配置された前記巻線切替部および前記電力変換部の両方を避けるように前記第１隔壁に貫通するように設けられている、モータ駆動装置。
【請求項２７】
車両本体部と、
前記車両本体部の内部に設けられるモータ駆動部とを備え、
前記モータ駆動部は、
高速駆動用巻線および低速駆動用巻線を含むモータと、
前記モータの前記高速駆動用巻線および前記低速駆動用巻線の接続状態の切り替えを行う巻線切替部と、
前記モータに接続される電力変換部と、
少なくとも前記モータ、前記巻線切替部および前記電力変換部が収容される複数のケース部とを含み、
前記複数のケース部は、互いに一体的に結合されており、
前記複数のケース部は、前記モータが配置される第１ケース部と、前記巻線切替部および前記電力変換部が配置される第２ケース部とを含み、
前記第２ケース部には、前記巻線切替部と前記電力変換部とを隔離する第１隔壁が設けられており、
前記巻線切替部は、前記第１隔壁の一方表面に配置されており、
前記電力変換部は、前記第１隔壁の他方表面に配置されており、
前記第１隔壁には、前記巻線切替部および前記電力変換部に接続される配線を通過させる第１穴部が設けられている、車両。
【発明の詳細な説明】
【技術分野】
【０００１】
この発明は、モータ駆動装置および車両に関し、特に、高速駆動用巻線および低速駆動用巻線を含むモータを備えるモータ駆動装置および車両に関する。
【背景技術】
【０００２】
従来、高速駆動用巻線および低速駆動用巻線を含むモータを備えるモータ駆動装置が知られている。このようなモータ駆動装置は、たとえば、特開２０１０−１７０５５号公報に開示されている。
【０００３】
上記特開２０１０−１７０５５号公報には、高速駆動用巻線および低速駆動用巻線を含むモータと、モータの２つの巻線の接続状態を切り替える巻線切替部と、モータに接続されるインバータ（電力変換部）とを備えるモータ駆動装置が開示されている。
【０００４】
ここで、一般に、上記特開２０１０−１７０５５号公報に開示されたようなモータと巻線切替部と電力変換部とを備える従来のモータ駆動装置では、モータと巻線切替部と電力変換部とがそれぞれ別々のケース部に収容されて別々に設置される。
【先行技術文献】
【特許文献】
【０００５】
【特許文献１】特開２０１０−１７０５５号公報
【発明の概要】
【発明が解決しようとする課題】
【０００６】
しかしながら、上記したような従来のモータ駆動装置では、モータと巻線切替部と電力変換部とがそれぞれ別々のケース部に収容されて別々に設置されるため、モータと巻線切替部と電力変換部とが収容される各ケース部間にデッドスペースが生じる場合がある。この場合には、省スペース化を図るのが困難であるという問題点がある。
【０００７】
この発明は、上記のような課題を解決するためになされたものであり、この発明の１つの目的は、省スペース化を図ることが可能なモータ駆動装置および車両を提供することである。
【課題を解決するための手段および発明の効果】
【０００８】
上記目的を達成するために、この発明の第１の局面によるモータ駆動装置は、高速駆動用巻線および低速駆動用巻線を含むモータと、モータの高速駆動用巻線および低速駆動用巻線の接続状態の切り替えを行う巻線切替部と、モータに接続される電力変換部と、少なくともモータ、巻線切替部および電力変換部が収容される複数のケース部とを備え、複数のケース部は、互いに一体的に結合されており、複数のケース部は、モータが配置される第１ケース部と、巻線切替部および電力変換部が配置される第２ケース部とを含み、第２ケース部には、巻線切替部と電力変換部とを隔離する第１隔壁が設けられており、第１隔壁には、巻線切替部および電力変換部に接続される配線を通過させる第１穴部が設けられており、巻線切替部および電力変換部の制御を行う制御部をさらに備え、モータ、巻線切替部および電力変換部に加えて、制御部も、複数のケース部に収容されている。
【０００９】
この発明の第１の局面によるモータ駆動装置では、上記のように、少なくともモータ、巻線切替部および電力変換部を収容する複数のケース部を設け、複数のケース部を互いに結合する。これにより、少なくともモータ、巻線切替部および電力変換部を収容した複数のケース部を互いに結合して一体化することができるので、少なくともモータ、巻線切替部および電力変換部が収容される各ケース部間にデッドスペースが生じるのを抑制することができる。その結果、省スペース化を図ることができる。
この発明の第２の局面によるモータ駆動装置は、高速駆動用巻線および低速駆動用巻線を含むモータと、モータの高速駆動用巻線および低速駆動用巻線の接続状態の切り替えを行う巻線切替部と、モータに接続される電力変換部と、少なくともモータ、巻線切替部および電力変換部が収容される複数のケース部とを備え、複数のケース部は、互いに一体的に結合されており、複数のケース部は、モータが配置される第１ケース部と、巻線切替部および電力変換部が配置される第２ケース部とを含み、複数のケース部の内部には、第１ケース部に配置されたモータと、第２ケース部に配置された巻線切替部との電気的接続を取るための接続部が設けられている。
【００１０】
この発明の第３の局面による車両は、車両本体部と、車両本体部の内部に設けられるモータ駆動部とを備え、モータ駆動部は、高速駆動用巻線および低速駆動用巻線を含むモータと、モータの高速駆動用巻線および低速駆動用巻線の接続状態の切り替えを行う巻線切替部と、モータに接続される電力変換部と、少なくともモータ、巻線切替部および電力変換部が収容される複数のケース部とを含み、複数のケース部は、互いに一体的に結合されており、複数のケース部は、モータが配置される第１ケース部と、巻線切替部および電力変換部が配置される第２ケース部とを含み、第２ケース部には、巻線切替部と電力変換部とを隔離する第１隔壁が設けられており、第１隔壁には、巻線切替部および電力変換部に接続される配線を通過させる第１穴部が設けられており、巻線切替部および電力変換部の制御を行う制御部をさらに備え、モータ、巻線切替部および電力変換部に加えて、制御部も、複数のケース部に収容されている。
【００１１】
この発明の第３の局面による車両では、上記のように、モータ駆動部の少なくともモータ、巻線切替部および電力変換部を収容する複数のケース部を設け、複数のケース部を互いに結合する。これにより、モータ駆動部の少なくともモータ、巻線切替部および電力変換部を収容した複数のケース部を互いに結合して一体化することができるので、モータ駆動部の少なくともモータ、巻線切替部および電力変換部が収容される各ケース部間にデッドスペースが生じるのを抑制することができる。その結果、モータ駆動部の省スペース化を図ることが可能な車両を提供することができる。特に、限られた配置スペース内に多数の部材を配置する必要のある車両において、この効果は有効である。
この発明の第４の局面による車両は、車両本体部と、車両本体部の内部に設けられるモータ駆動部とを備え、モータ駆動部は、高速駆動用巻線および低速駆動用巻線を含むモータと、モータの高速駆動用巻線および低速駆動用巻線の接続状態の切り替えを行う巻線切替部と、モータに接続される電力変換部と、少なくともモータ、巻線切替部および電力変換部が収容される複数のケース部とを含み、複数のケース部は、互いに一体的に結合されており、複数のケース部は、モータが配置される第１ケース部と、巻線切替部および電力変換部が配置される第２ケース部とを含み、複数のケース部の内部には、第１ケース部に配置されたモータと、第２ケース部に配置された巻線切替部との電気的接続を取るための接続部が設けられている。
この発明の第５の局面によるモータ駆動装置は、高速駆動用巻線および低速駆動用巻線を含むモータと、モータの高速駆動用巻線および低速駆動用巻線の接続状態の切り替えを行う巻線切替部と、モータに接続される電力変換部と、少なくともモータ、巻線切替部および電力変換部が収容される複数のケース部とを備え、複数のケース部は、互いに一体的に結合されており、複数のケース部は、モータが配置される第１ケース部と、巻線切替部および電力変換部が配置される第２ケース部とを含み、第２ケース部には、巻線切替部と電力変換部とを隔離する第１隔壁が設けられており、巻線切替部は、第１隔壁の一方表面に配置されており、電力変換部は、第１隔壁の他方表面に配置されており、第１隔壁には、巻線切替部および電力変換部に接続される配線を通過させる第１穴部が設けられている。
この発明の第６の局面によるモータ駆動装置は、高速駆動用巻線および低速駆動用巻線を含むモータと、モータの高速駆動用巻線および低速駆動用巻線の接続状態の切り替えを行う巻線切替部と、モータに接続される電力変換部と、少なくともモータ、巻線切替部および電力変換部が収容される複数のケース部とを備え、複数のケース部は、互いに一体的に結合されており、複数のケース部は、モータが配置される第１ケース部と、巻線切替部および電力変換部が配置される第２ケース部とを含み、第２ケース部には、巻線切替部と電力変換部とを隔離する第１隔壁が設けられており、第１隔壁には、巻線切替部および電力変換部に接続される配線を通過させる第１穴部が設けられており、巻線切替部は、第１隔壁の一方表面に配置されており、電力変換部は、第１隔壁の他方表面に配置されており、第１穴部は、第１隔壁に配置された巻線切替部および電力変換部の両方を避けるように第１隔壁に貫通するように設けられている、モータ駆動装置。
この発明の第７の局面による車両は、車両本体部と、車両本体部の内部に設けられるモータ駆動部とを備え、モータ駆動部は、高速駆動用巻線および低速駆動用巻線を含むモータと、モータの高速駆動用巻線および低速駆動用巻線の接続状態の切り替えを行う巻線切替部と、モータに接続される電力変換部と、 少なくともモータ、巻線切替部および電力変換部が収容される複数のケース部とを含み、複数のケース部は、互いに一体的に結合されており、複数のケース部は、モータが配置される第１ケース部と、巻線切替部および電力変換部が配置される第２ケース部とを含み、第２ケース部には、巻線切替部と電力変換部とを隔離する第１隔壁が設けられており、巻線切替部は、第１隔壁の一方表面に配置されており、電力変換部は、第１隔壁の他方表面に配置されており、第１隔壁には、巻線切替部および電力変換部に接続される配線を通過させる第１穴部が設けられている。
【図面の簡単な説明】
【００１２】
【図１】本発明の一実施形態による車両の全体構成を示したブロック図である。
【図２】本発明の一実施形態によるモータ駆動部の全体構成を示した斜視図である。
【図３】図２に示したモータ駆動部の分解斜視図である。
【図４】図３に示したモータ駆動部を図３とは反対側から見た分解斜視図である。
【図５】図３に示したモータ駆動部のうちの第１ケース部を示した斜視図である。
【図６】図５に示した第１ケース部を図５とは反対側から見た斜視図である。
【図７】図５および図６に示した第１ケース部を矢印Ａ１方向側から平面的に見た図である。
【図８】図５に示した第１ケース部の内部に設けられた第１冷却管を説明するための透視図である。
【図９】図３に示したモータ駆動部のうちの第２ケース部を示した斜視図である。
【図１０】図９に示した第２ケース部を図９とは反対側から見た斜視図である。
【図１１】図９および図１０に示した第２ケース部を矢印Ａ１方向側から平面的に見た図である。
【図１２】図９および図１０に示した第２ケース部を矢印Ａ２方向側から平面的に見た図である。
【図１３】図９に示した第２ケース部からインバータモジュールを取り外した状態を示した斜視図である。
【図１４】図１０に示した第２ケース部から巻線切替モジュールおよびコンデンサモジュールを取り外した状態を示した斜視図である。
【図１５】図３に示したモータ駆動部のうちの第３ケース部を示した斜視図である。
【図１６】図１５に示した第３ケース部を図１５とは反対側から見た斜視図である。
【図１７】図１５および図１６に示した第３ケース部を矢印Ａ１方向側から平面的に見た図である。
【図１８】図１５および図１６に示した第３ケース部を矢印Ａ２方向側から平面的に見た図である。
【図１９】図１５に示した第３ケース部から制御基板および平滑コンデンサを取り外した状態を示した斜視図である。
【図２０】図１６に示した第３ケース部から電源基板を取り外した状態を示した斜視図である。
【図２１】図３に示したモータ駆動部のうちの第４ケース部を示した斜視図である。
【図２２】図２１に示した第４ケース部を図２１とは反対側から見た斜視図である。
【図２３】図２１および図２２に示した第４ケース部を矢印Ａ１方向側から平面的に見た図である。
【図２４】図２に示したモータ駆動部の内部の各部の接続関係を説明するための透視図である。
【発明を実施するための形態】
【００１３】
以下、本発明の実施形態を図面に基づいて説明する。
【００１４】
まず、図１を参照して、本発明の一実施形態による車両１００の構成について説明する。なお、図１に示した構成は、巻線切替方式のモータ駆動部を備えた車両の構成の一例を示した代表的なものであり、本発明はこれに限られるものではない。
【００１５】
図１に示すように、車両１００は、車両本体部１０１と、車両本体部１０１の内部に設けられたモータ駆動部１０と、モータ駆動部１０に接続されたバッテリ部２０とを備えている。なお、モータ駆動部１０は、本発明の「モータ駆動装置」の一例である。
【００１６】
モータ駆動部１０は、インバータ部１と、平滑コンデンサ２と、モータ３と、巻線切替部４と、制御部５と、電源部６とを含むように構成されている。なお、インバータ部１は、本発明の「電力変換部」の一例である。
【００１７】
インバータ部１は、バッテリ部２０から入力される直流電力を３相（Ｕ相、Ｖ相およびＷ相）の交流電力に変換してモータ３に出力するように構成されている。また、インバータ部１は、バッテリ部２０に接続される直流入力端子ＴＰ１およびＴＮ１と、モータ３に接続される交流出力端子ＴＵ１、ＴＶ１およびＴＷ１とを有している。なお、インバータ部１の直流入力端子ＴＰ１およびＴＮ１には、それぞれ、平滑コンデンサ２の端子ＴＰ２およびＴＮ２が接続されている。この平滑コンデンサ２は、バッテリ部２０から入力される直流電力を平滑化するために設けられている。
【００１８】
また、インバータ部１は、電力変換用の６個のスイッチ素子Ｑ１、Ｑ２、Ｑ３、Ｑ４、Ｑ５およびＱ６を含むように構成されている。スイッチ素子Ｑ１およびＱ２は、Ｕ相の電力変換を行うように構成されている。また、スイッチ素子Ｑ３およびＱ４は、Ｖ相の電力変換を行うように構成されている。また、スイッチ素子Ｑ５およびＱ６は、Ｗ相の電力変換を行うように構成されている。なお、スイッチ素子Ｑ１〜Ｑ６は、それぞれ、ＳｉＣからなる半導体により構成されている。
【００１９】
モータ３は、インバータ部１から供給される３相の交流電力に対応して駆動するように構成されている。また、モータ３は、高速駆動用の３相の巻線３ａと、低速駆動用の３相の巻線３ｂとを含むように構成されている。なお、巻線３ａおよび３ｂは、それぞれ、本発明の「高速駆動用巻線」および「低速駆動用巻線」の一例である。
【００２０】
巻線３ａおよび３ｂは、電気的に直列に接続されている。巻線３ａの一方側の各相（Ｕ相、Ｖ相およびＷ相）の端子ＴＵ２、ＴＶ２およびＴＷ２は、インバータ部１に接続されている。また、巻線３ａの他方側で、かつ、巻線３ｂの一方側の各相の端子ＴＵ３、ＴＶ３およびＴＷ３は、巻線切替部４の後述するダイオードブリッジＤＢ１に接続されている。また、巻線３ｂの他方側の端子ＴＵ４、ＴＶ４およびＴＷ４は、巻線切替部４の後述するダイオードブリッジＤＢ２に接続されている。
【００２１】
巻線切替部４は、モータ３の巻線３ａおよび３ｂの接続状態を切り替える機能を有している。具体的には、巻線切替部４は、モータ３の端子ＴＵ３、ＴＶ３およびＴＷ３を短絡させるための高速巻線切替スイッチＳＷ１と、モータ３の端子ＴＵ４、ＴＶ４およびＴＷ４を短絡させるための低速巻線切替スイッチＳＷ２とを含むように構成されている。なお、高速巻線切替スイッチＳＷ１および低速巻線切替スイッチＳＷ２は、それぞれ、本発明の「スイッチ素子」の一例である。また、高速巻線切替スイッチＳＷ１および低速巻線切替スイッチＳＷ２は、それぞれ、ＳｉＣからなる半導体により構成されている。
【００２２】
また、巻線切替部４は、モータ３の端子ＴＵ３、ＴＶ３およびＴＷ３にそれぞれ接続される端子ＴＵ５、ＴＶ５およびＴＷ５を有するダイオードブリッジＤＢ１と、モータ３の巻線３ａを保護するためのコンデンサＣ１とを含むように構成されている。なお、高速巻線切替スイッチＳＷ１と、ダイオードブリッジＤＢ１と、コンデンサＣ１と、平滑コンデンサ２とは、互いに電気的に並列に接続されている。
【００２３】
また、巻線切替部４は、モータ３の端子ＴＵ４、ＴＶ４およびＴＷ４にそれぞれ接続される端子ＴＵ６、ＴＶ６およびＴＷ６を有するダイオードブリッジＤＢ２と、モータ３の巻線３ｂを保護するためのコンデンサＣ２とを含むように構成されている。なお、低速巻線切替スイッチＳＷ２と、ダイオードブリッジＤＢ２と、コンデンサＣ２と、平滑コンデンサ２とは、互いに電気的に並列に接続されている。
【００２４】
ダイオードブリッジＤＢ１は、モータ３の端子ＴＵ３、ＴＶ３およびＴＷ３から出力される３相（Ｕ相、Ｖ相およびＷ相）の交流を整流するための６個のダイオードＤ１１、Ｄ１２、Ｄ１３、Ｄ１４、Ｄ１５およびＤ１６により構成されている。ダイオードＤ１１およびＤ１２は、Ｕ相の交流を整流するように構成されている。また、ダイオードＤ１３およびＤ１４は、Ｖ相の交流を整流するように構成されている。また、ダイオードＤ１５およびＤ１６は、Ｗ相の交流を整流するように構成されている。なお、ダイオードブリッジＤＢ１の直流出力側には、２つのダイオードＤ１７およびＤ１８が設けられている。
【００２５】
同様に、ダイオードブリッジＤＢ２は、モータ３の端子ＴＵ４、ＴＶ４およびＴＷ４から出力される３相（Ｕ相、Ｖ相およびＷ相）の交流を整流するための６個のダイオードＤ２１、Ｄ２２、Ｄ２３、Ｄ２４、Ｄ２５およびＤ２６により構成されている。ダイオードＤ２１およびＤ２２は、Ｕ相の交流を整流するように構成されている。また、ダイオードＤ２３およびＤ２４は、Ｖ相の交流を整流するように構成されている。また、ダイオードＤ２５およびＤ２６は、Ｗ相の交流を整流するように構成されている。なお、ダイオードブリッジＤＢ２の直流出力側には、２つのダイオードＤ２７およびＤ２８が設けられている。
【００２６】
制御部５は、インバータ部１および巻線切替部４に制御信号（インバータ制御信号、高速巻線切替制御信号および低速巻線切替制御信号）を出力することによって、インバータ部１および巻線切替部４の制御を行うように構成されている。また、電源部６は、インバータ部１のスイッチ素子Ｑ１〜Ｑ６を動作させるための電源（インバータ用ゲート電源）と、巻線切替部４の高速巻線切替スイッチＳＷ１および低速巻線切替スイッチＳＷ２を動作させるための電源（高速巻線切替用ゲート電源および低速巻線切替用ゲート電源）とを、それぞれ、インバータ部１と巻線切替部４とに供給するように構成されている。
【００２７】
次に、図２〜図４を参照して、本発明の一実施形態によるモータ駆動部１０の概略的な構成（構造）について説明する。
【００２８】
図２〜図４に示すように、モータ駆動部１０は、モータ３が収容された第１ケース部１１と、インバータ部１および巻線切替部４が収容された第２ケース部１２と、平滑コンデンサ２、制御部５および電源部６が収容された第３ケース部１３と、第１ケース部１１と第２ケース部１２との間に配置された第４ケース部１４とを備えている。第１ケース部１１、第４ケース部１４、第２ケース部１２および第３ケース部１３は、アルミニウムなどの金属により形成されている。なお、第１ケース部１１、第２ケース部１２、第３ケース部１３および第４ケース部１４は、本発明の「ケース部」の一例である。
【００２９】
第１ケース部１１、第４ケース部１４、第２ケース部１２および第３ケース部１３は、モータ３の後述する回転軸３１の延びる方向（モータ３の軸方向（Ａ方向））に沿ってこの順番で配置されている。また、図３および図４に示すように、第１ケース部１１、第４ケース部１４、第２ケース部１２および第３ケース部１３は、Ａ方向に沿って延びる円筒状に形成されている。なお、円筒状に形成された第１ケース部１１、第４ケース部１４、第２ケース部１２および第３ケース部１３は、互いに略等しい外径を有している。
【００３０】
ここで、本実施形態では、図２〜図４に示すように、第１ケース部１１、第４ケース部１４、第２ケース部１２および第３ケース部１３は、六角穴付きねじ４１、４２および４３によってＡ方向に互いに締結されることにより結合されている。具体的には、図３および図４に示すように、第１ケース部１１と第４ケース部１４とは、六角穴付きねじ４１によって互いに締結されることにより結合されている。また、第４ケース部１４と第２ケース部１２とは、六角穴付きねじ４２によって互いに締結されることにより結合されている。また、第２ケース部１２と第３ケース部１３とは、六角穴付きねじ４３によって互いに締結されることにより結合されている。なお、六角穴付きねじ４１〜４３は、本発明の「締結部材」の一例である。
【００３１】
また、図２〜図４に示すように、第３ケース部１３の第１ケース部１１、第２ケース部１２および第４ケース部１４とは反対側（矢印Ａ１方向側）には、第３ケース部１３を密閉するように構成された円板状の第１蓋部１５が設けられている。また、第４ケース部１４には、第４ケース部１４の後述する開口１４１ｃおよび１４１ｄを覆うように構成された開閉可能な略矩形形状の３個の第２蓋部１６が設けられている。図３および図４に示すように、第３ケース部１３と第１蓋部１５とは、ねじ部材４４によって互いに締結されることにより結合されている。また、第４ケース部１４と第２蓋部１６とは、ねじ部材４５によって互いに締結されることにより結合されている。
【００３２】
なお、図３および図４に示すように、第１ケース部１１、第４ケース部１４、第２ケース部１２および第３ケース部１３の互いに結合されている部分と、第３ケース部１３と第１蓋部１５との間の部分と、第４ケース部１４と第２蓋部１６との間の部分（図３および図４の斜線で示した部分参照）とは、防水機能を有する液状のシール剤が塗布されて乾燥されることによって形成されたシール部材５０により封止されている。
【００３３】
次に、図５〜図８を参照して、本発明の一実施形態によるモータ駆動部１０のモータ３（図１参照）が収容される第１ケース部１１の詳細な構成（構造）について説明する。
【００３４】
図５〜図８に示すように、第１ケース部１１は、Ａ方向（モータ３の軸方向）に延びる円筒状の側面部１１１と、側面部１１１の矢印Ａ２方向側の端部に設けられる底面部１１２とを有している。また、図５、図７および図８に示すように、側面部１１１には、第１ケース部１１と第４ケース部１４とをねじ止めするための六角穴付きねじ４１（図３および図４参照）に螺合するねじ穴１１１ａが設けられている。ねじ穴１１１ａは、側面部１１１の矢印Ａ１方向の端面から矢印Ａ２方向に延びるように設けられている。また、図７に示すように、ねじ穴１１１ａは、第４ケース部１４の後述する側面部１４１に設けられた複数（本実施形態では、５個）のねじ挿入穴１４１ａ（図２３参照）に対応するように、モータ３の軸方向から見て、円周方向に沿って間隔を隔てて複数（本実施形態では、５個）設けられている。なお、側面部１１１には、温度の上昇などに起因して第１ケース部１１内の圧力が過度に大きくなった場合に、その過度に大きくなった圧力によって第１ケース部１１が損傷されるのを抑制するための呼吸弁（図示せず）が設けられている。
【００３５】
図５〜図８に示すように、第１ケース部に収容されたモータ３は、回転軸３１と、ロータコア３２と、ステータコア３３とを備えている。回転軸３１は、モータ３の中央部近傍において底面部１１２を貫通してＡ方向に延びるように設けられている。また、ロータコア３２は、回転軸３１を取り囲むように設けられている。また、ステータコア３３は、ロータコア３２の外周部に対向するように配置されている。なお、ステータコア３３の内周部側には、複数のスロット３４が設けられている。複数のスロット３４の内部には、高速駆動用の巻線３ａおよび低速駆動用の巻線３ｂ（図１参照）が重ね巻きなどにより巻回されて収容されている。
【００３６】
また、図５および図７に示すように、第１ケース部１１に収容されたモータ３には、巻線３ａおよび３ｂの端子ＴＵ２、ＴＶ２、ＴＷ２、ＴＵ３、ＴＶ３、ＴＷ３、ＴＵ４、ＴＶ４およびＴＷ４（図１参照）に対応する９個の接続端子部６１を有する９本の接続配線６２が接続されている。これら９本の接続配線６２は、第１ケース部１１の矢印Ａ１方向側の端面から突出してＡ方向に延びるように設けられている。
【００３７】
ここで、本実施形態では、図８に示すように、第１ケース部１１には、モータ３を冷却するための冷却液が流れる第１冷却管１１３が設けられている。この第１冷却管１１３の一方端部（冷却液が流入する側の端部）および他方端部（冷却液が流出する側の端部）は、側面部１１１の矢印Ａ１方向側の端部近傍で、かつ、矢印Ｃ２方向側の表面から外側に突出して設けられている。なお、第１冷却管１１３は、本発明の「第１冷却部」の一例である。
【００３８】
第１冷却管１１３は、側面部１１１の内側の空間（モータ３が収容される空間）を周状に取り囲むように、側面部１１１の内部の全体に渡って設けられている。具体的には、第１冷却管１１３は、側面部１１１の内部において矢印Ａ１方向側の端部近傍から矢印Ａ２方向側の端部近傍までＡ方向に延びる複数の直線状の部分を有するように形成されている。これらＡ方向に延びる複数の直線状の部分は、矢印Ａ１方向側の端部および矢印Ａ２方向側の端部において交互にＵ字形状に折り曲げられて互いに接続されている。これにより、第１冷却管１１３の一方端部から他方端部まで冷却液が流れる一連の流路が構成されている。
【００３９】
次に、図９〜図１４および図２４を参照して、本発明の一実施形態によるモータ駆動部１０のインバータ部１および巻線切替部４（図１参照）が収容される第２ケース部１２の詳細な構成（構造）について説明する。
【００４０】
図９〜図１４に示すように、第２ケース部１２は、Ａ方向（モータ３の軸方向）に延びる円筒状の側面部１２１と、Ａ方向に直交する面に沿って（Ｂ方向およびＣ方向に沿って）延びる円板状の第１隔壁１２２とを有している。なお、図１０および図１４に示すように、第１隔壁１２２は、側面部１２１の矢印Ａ２方向側の端部に配置されている。
【００４１】
図９〜図１４に示すように、側面部１２１には、第２ケース部１２と第４ケース部１４とをねじ止めするための六角穴付きねじ４２（図３および図４参照）が挿入されるねじ挿入穴１２１ａが設けられている。ねじ挿入穴１２１ａは、側面部１２１をＡ方向に貫通するように設けられている。また、図１１に示すように、ねじ挿入穴１２１ａは、モータ３の軸方向から見て、第４ケース部１４の後述する側面部１４１に設けられた複数（本実施形態では、７個）のねじ穴１４１ｂ（図２３参照）に対応するように、円周方向に沿って間隔を隔てて複数（本実施形態では、７個）設けられている。
【００４２】
また、図９、図１１および図１３に示すように、側面部１２１には、第２ケース部１２と第３ケース部１３とをねじ止めするための六角穴付きねじ４３（図３および図４参照）と螺合するねじ穴１２１ｂが設けられている。ねじ穴１２１ｂは、側面部１２１の矢印Ａ１方向の端面から矢印Ａ２方向に延びるように設けられている。また、図１１に示すように、ねじ穴１２１ｂは、第３ケース部１３の後述する側面部１３１に設けられた複数（本実施形態では、６個）のねじ挿入穴１３１ａ（図１７および図１８参照）に対応するように、モータ３の軸方向から見て、円周方向に沿って間隔を隔てて複数（本実施形態では、６個）設けられている。
【００４３】
なお、側面部１２１には、温度の上昇などに起因して第２ケース部１２内の圧力が過度に大きくなった場合に、その過度に大きくなった圧力によって第２ケース部１２およびその内部に設置される電子部品が損傷されるのを抑制するための呼吸弁（図示せず）が設けられている。
【００４４】
第１隔壁１２２は、第２ケース部１２において、巻線切替部４とインバータ部１とを隔離するために設けられている。具体的には、図９および図１１に示すように、第１隔壁１２２の矢印Ａ１方向側の表面上には、配線基板にスイッチ素子Ｑ１〜Ｑ６（図１参照）を含む電子部品が実装されたインバータモジュール１ａが配置され、インバータ部１が構成されている。また、図１０および図１２に示すように、第１隔壁１２２の矢印Ａ２方向側の表面上には、配線基板に高速巻線切替スイッチＳＷ１および低速巻線スイッチＳＷ２（図１参照）を含む電子部品が実装された巻線切替モジュール４ａと、２個のコンデンサモジュール４ｂとが配置され、巻線切替部４が構成されている。これにより、インバータ部１は、第２ケース部１２の第１隔壁１２２に対してモータ３とは反対側（矢印Ａ１方向側）の領域に配置されている。また、巻線切替部４は、第２ケース部１２の第１隔壁１２２に対してインバータ部１とは反対側（矢印Ａ２方向側）の領域に配置されている。なお、本実施形態では、インバータモジュール１ａのスイッチ素子Ｑ１〜Ｑ６と、第１隔壁１２２の矢印Ａ１方向側の表面との間の部分に、絶縁性を有する放熱シートを設けてもよい。
【００４５】
図９および図１１に示すように、インバータモジュール１ａには、インバータ部１の端子ＴＵ１、ＴＶ１およびＴＷ１（図１参照）に対応する３個の板状の接続端子部６３が設けられている。これら３個の接続端子部６３は、インバータモジュール１ａの矢印Ｃ１方向側の端面から突出するように設けられている。また、第１隔壁１２２の矢印Ａ１方向側の表面上には、インバータ部１の端子ＴＰ１およびＴＮ１（図１参照）に対応する一対の接続端子部６４がインバータモジュール１ａに隣接して配置されている。
【００４６】
図９および図２４に示すように、接続端子部６４は、軸方向（Ａ方向）に延びる部分を有するとともに、一方端部側と他方端部側とがそれぞれＣ方向に延びるＵ字形状に形成されている。図９に示すように、接続端子部６４の一方端部側の部分（矢印Ａ２方向側においてＣ方向に延びる長い部分）は、第１隔壁１２２の矢印Ａ１方向側の表面上に配置されている。また、図２４に示すように、接続端子部６４の他方端部側の部分（矢印Ａ１方向側においてＣ方向に延びる短い部分）は、第３ケース部１３に収容された平滑コンデンサ２の後述する板状の接続端子部６６とねじ止めされることにより電気的に接続されるように構成されている。
【００４７】
また、図１０および図１２に示すように、巻線切替モジュール４ａには、巻線切替部４の端子ＴＵ５、ＴＶ５、ＴＷ５、ＴＵ６、ＴＶ６およびＴＷ６（図１参照）に対応する６個の接続端子部６５が設けられている。これら６個の接続端子部６５は、巻線切替モジュール４ａの矢印Ａ２方向側の表面上の矢印Ｂ１方向側と矢印Ｂ２方向側とにそれぞれ３個ずつ配置されている。
【００４８】
図１０に示すように、接続端子部６５は、Ａ方向に延びる部分と、Ｂ方向に延びる部分とを有するＬ字形状に形成されている。この接続端子部６５のＢ方向に延びる部分は、巻線切替モジュール４ａの矢印Ａ２方向側の表面上に配置されている。なお、図２４に示すように、接続端子部６５のＡ方向に延びる部分は、モータ３の端子ＴＵ３、ＴＶ３、ＴＷ３、ＴＵ４、ＴＶ４およびＴＷ４（図１参照）に対応する接続端子部６１とねじ止めされることにより電気的に接続されるように構成されている。
【００４９】
ここで、本実施形態では、図９〜図１４に示すように、第２ケース部１２には、第１隔壁１２２の表面上に配置されたインバータモジュール１ａ（インバータ部１）および巻線切替モジュール４ａ（巻線切替部４）を冷却するための第２冷却管１２３が設けられている。この第２冷却管１２３の一方端部（冷却液が流入する側の端部）および他方端部（冷却液が流出する側の端部）は、側面部１２１のＣ方向の中央部近傍で、かつ、矢印Ｂ２方向側の表面から外側に突出して設けられている。なお、第２冷却管１２３は、本発明の「第２冷却部」の一例である。
【００５０】
図１１〜図１４に示すように、第２冷却管１２３は、第１隔壁１２２の内部において矢印Ｂ２方向側の端部から矢印Ｂ１方向側の端部近傍まで延びるＵ字形状の部分を有するように形成されている。これにより、第２冷却管１２３の一方端部から他方端部まで冷却液が流れる一連の流路が構成されている。なお、図２に示すように、第２ケース部の第２冷却管１２３の一方端部と、第１ケース部１１の第１冷却管１１３の他方端部とは、チューブなどからなる連結部７０を介して互いに接続されている。
【００５１】
なお、図１１に示すように、第２冷却管１２３は、モータ３の軸方向から見て、インバータモジュール１ａに搭載されたインバータ部１のスイッチ素子Ｑ１〜Ｑ６（図１参照）とオーバラップするように設けられている。また、図１２に示すように、第２冷却管１２３は、モータ３の軸方向から見て、巻線切替モジュール４ａに搭載された巻線切替部４の高速巻線切替スイッチＳＷ１および低速巻線切替スイッチＳＷ２とオーバラップするように設けられている。ここで、図１１では、スイッチ素子Ｑ１〜Ｑ６を一点鎖線の矩形で示している。また、図１２では、高速巻線切替スイッチＳＷ１および低速巻線切替スイッチＳＷ２を二点鎖線の矩形で示している。
【００５２】
図１１および図１２に示すように、第１隔壁１２２には、インバータモジュール１ａのインバータ部１および巻線切替モジュール４ａの巻線切替部４に接続される配線を通過させるための第１穴部１２２ａが３個設けられている。たとえば、第１隔壁１２２の矢印Ｃ１方向側の端部近傍に設けられた１個の第１穴部１２２ａは、第１ケース部１１と第４ケース部１４と第２ケース部１２とが結合された際にインバータ部１の接続端子部６３に接続される後述する接続端子部６９（図２４参照）を通過させるために設けられている。また、第１隔壁１２２の矢印Ｂ１方向側の端部近傍に設けられた２個の第１穴部１２２ａは、制御部５からの制御信号をインバータ部１および巻線切替部４に伝送するための配線（図示せず）などを通過させるために設けられている。
【００５３】
なお、図１０、図１２および図１４に示すように、第１隔壁１２２の矢印Ａ２方向側の表面には、２つの凹部１２２ｂが設けられている。これら２つの凹部１２２ｂには、巻線切替部４の高速巻線切替スイッチＳＷ１および低速巻線切替スイッチＳＷ２に接続されるコンデンサＣ１およびＣ２（図１参照）に対応する２つのコンデンサモジュール４ｂが配置される。
【００５４】
次に、図１５〜図２０および図２４を参照して、本発明の一実施形態によるモータ駆動部１０の平滑コンデンサ２、制御部５および電源部６（図１参照）が収容される第３ケース部１３の詳細な構成（構造）について説明する。
【００５５】
図１５〜図２０に示すように、第３ケース部１３は、Ａ方向（モータ３の軸方向）に延びる円筒状の側面部１３１と、Ａ方向と直交する面に沿って（Ｂ方向およびＣ方向に）延びる円板状の第２隔壁１３２とを有している。なお、図１９および図２０に示すように、第２隔壁１３２は、側面部１３１の内側においてＢ方向およびＣ方向に面状に延びている。
【００５６】
図１５〜図２０に示すように、側面部１３１には、第３ケース部１３と第２ケース部１２とをねじ止めするための六角穴付きねじ４３（図３および図４参照）が挿入されるねじ挿入穴１３１ａが設けられている。ねじ挿入穴１３１ａは、側面部１３１をＡ方向に貫通するように設けられている。また、図１７および図１８に示すように、ねじ挿入穴１３１ａは、第２ケース部１２の側面部１２１に設けられた複数（本実施形態では、６個）のねじ穴１２１ｂ（図１１参照）に対応するように、モータ３の軸方向から見て、円周方向に沿って間隔を隔てて複数（本実施形態では、６個）設けられている。
【００５７】
また、図１５、図１７および図１９に示すように、側面部１３１には、第３ケース部１３と第１蓋部１５とをねじ止めするためのねじ部材４４（図３および図４参照）に螺合するねじ穴１３１ｂが設けられている。このねじ穴１３１ｂは、側面部１３１の矢印Ａ１方向の端面から矢印Ａ２方向に延びるように設けられている。また、図１７に示すように、ねじ穴１３１ｂは、第１蓋部１５に設けられた複数（本実施形態では、８個）のねじ挿入穴１５ａ（図３および図４参照）に対応するように、モータ３の軸方向から見て、円周方向に沿って間隔を隔てて複数（本実施形態では、８個）設けられている。
【００５８】
また、図１５、図１７および図１９に示すように、側面部１３１には、第３ケース部１３内に配置される後述する制御基板５ａと、モータ駆動部１０の外部に設けられる車両１００全体の制御部（図示せず）とを接続する接続配線６０を通過させるための貫通穴１３１ｃが設けられている。なお、第３ケース部１３の側面部１３１のうちの接続配線６０が貫通する部分は、シール剤によって封止されている。
【００５９】
なお、側面部１３１には、温度の上昇などに起因して第３ケース部１３内の圧力が過度に大きくなった場合に、その過度に大きくなった圧力によって第３ケース部１３およびその内部に設置される電子部品が損傷されるのを抑制するための呼吸弁（図示せず）が設けられている。
【００６０】
第２隔壁１３２は、第３ケース部１３内において、平滑コンデンサ２および制御部５と、電源部６とを隔離するために設けられている。具体的には、図１５および図１７に示すように、第２隔壁１３２の矢印Ａ１方向側の表面上には、フィルムコンデンサまたは電解コンデンサが内蔵された平滑コンデンサ２と、制御部５が搭載された制御基板５ａとがＢ方向に隣接して配置されている。また、図１６および図１８に示すように、第２隔壁１３２の矢印Ａ２方向側の表面上には、電源部６が搭載された電源基板６ａが配置されている。これにより、平滑コンデンサ２および制御部５は、第３ケース部１３の第２隔壁１３２に対してモータ３、巻線切替部４およびインバータ部１とは反対側（矢印Ａ１方向側）の領域に配置されている。また、電源部６は、第３ケース部１３の第２隔壁１３２に対して平滑コンデンサ２および制御部５とは反対側（矢印Ａ２方向側）の領域に配置されている。
【００６１】
図１５および図１７に示すように、平滑コンデンサ２には、端子ＴＰ２およびＴＮ２（図１参照）に対応する２個の板状の接続端子部６６が設けられている。これら２個の接続端子部６６は、直方体形状を有する平滑コンデンサ２の矢印Ｂ２方向側の面から突出するように設けられている。なお、接続端子部６６は、図２４に示すように、インバータ部１の端子ＴＰ１およびＴＮ１（図１参照）に対応する一対の接続端子部６４の他方端部側の部分（矢印Ａ２方向側においてＢ方向に延びる短手部分）とねじ止めされることにより電気的に接続されるように構成されている。また、図１５および図１７に示すように、接続端子部６６には、バッテリ部２０（図１参照）に接続される接続配線６７がねじ止めされている。これら２本の接続配線６７は、第３ケース部１３の側面部１３１のＣ方向の中央部近傍で、かつ、矢印Ｂ２方向側の部分を貫通してＢ方向に延びるように設けられている。なお、第３ケース部１３の側面部１３１のうちの接続配線６７が貫通する部分は、シール剤によって封止されている。
【００６２】
本実施形態では、図１５〜図２０に示すように、第３ケース部１３の第２隔壁１３２には、制御基板５ａに搭載された制御部５および電源基板６ａに搭載された電源部６に接続される配線を通過させるための第２穴部１３２ａが３個設けられている。たとえば、第２隔壁１３２の矢印Ｂ２方向側の端部近傍に設けられた１個の第２穴部１３２ａは、図２４に示すように、第２ケース部１２と第３ケース部１３とが結合された際において、インバータ部１の端子ＴＰ１およびＴＮ１（図１参照）に対応する一対の接続端子部６４を通過させるために設けられている。また、第２隔壁１３２のＣ方向の両側の端部近傍に設けられた２個の第２穴部１３２ａは、制御部５からの制御信号を伝送するための配線（図示せず）などを通過させるために設けられている。
【００６３】
次に、図２１〜図２４を参照して、本発明の一実施形態によるモータ駆動部１０の第４ケース部１４の詳細な構成（構造）について説明する。
【００６４】
図２１〜図２４に示すように、第４ケース部１４は、Ａ方向（モータ３の軸方向）に延びる円筒状の側面部１４１と、側面部１４１の矢印Ａ２方向側の端部に設けられる底面部１４２とを有している。なお、図２１〜図２３に示すように、底面部１４２の中央部には、第１ケース部１１に収容されたモータ３の回転軸３１の矢印Ａ１方向側の端部（図５参照）に接続される軸受１４２ａが設けられている。
【００６５】
図２１〜図２３に示すように、側面部１４１には、第４ケース部１４と第１ケース部１１とをねじ止めするための六角穴付きねじ４１（図３および図４参照）が挿入されるねじ挿入穴１４１ａが設けられている。ねじ挿入穴１４１ａは、側面部１４１をＡ方向に貫通するように設けられている。また、図２３に示すように、ねじ挿入穴１４１ａは、第１ケース部１１の側面部１１１に設けられた複数（本実施形態では、５個）のねじ穴１１１ａ（図７参照）に対応するように、モータ３の軸方向から見て、円周方向に沿って間隔を隔てて複数（本実施形態では、５個）設けられている。
【００６６】
また、図２１および図２３に示すように、側面部１４１には、第４ケース部１４と第２ケース部１２とをねじ止めするための六角穴付きねじ４２（図３および図４参照）に螺合するねじ穴１４１ｂが設けられている。このねじ穴１４１ｂは、側面部１４１の矢印Ａ１方向の端面から矢印Ａ２方向に延びるように設けられている。また、図２３に示すように、ねじ穴１４１ｂは、第２ケース部１２の側面部１２１に設けられた複数（本実施形態では、７個）のねじ挿入穴１２１ａ（図１１参照）に対応するように、モータ３の軸方向から見て、円周方向に沿って間隔を隔てて複数（本実施形態では、７個）設けられている。
【００６７】
なお、側面部１４１には、温度の上昇などに起因して第４ケース部１４内の圧力が過度に大きくなった場合に、その過度に大きくなった圧力によって第４ケース部１４が損傷されるのを抑制するための呼吸弁（図示せず）が設けられている。
【００６８】
ここで、本実施形態では、図２１、図２３および図２４に示すように、第４ケース部１４の内部には、Ａ方向に延びる部分と、Ｃ方向に延びる部分とを有するＬ字形状の接続端子部６８が設けられている。なお、図２１および図２３に示すように、接続端子部６８のＣ方向に延びる部分は、第４ケース部１４の底面部１４２の矢印Ａ１方向側の表面上に樹脂からなる絶縁部材（図示せず）を介して取り付けられている。
【００６９】
図２４に示すように、接続端子部６８のＡ方向に延びる部分は、第１ケース部１１と第４ケース部１４とが結合された際において、モータ３の端子ＴＵ２、ＴＶ２およびＴＷ２（図１参照）に対応する３個の接続端子部６１とねじ止めされることにより電気的に接続されるように構成されている。また、接続端子部６８のＡ方向に延びる部分は、第１ケース部１１と第４ケース部１４と第２ケース部１２とが結合された際において、Ｌ字形状の接続端子部６９とねじ止めされることによって、接続端子部６９を介して、第２ケース部１２のインバータ部１の端子ＴＵ１、ＴＶ１およびＴＷ１（図１参照）に対応する接続端子部６３に電気的に接続されるように構成されている。これにより、本実施形態では、第１ケース部１１と第４ケース部１４と第２ケース部１２とが結合された際において、第４ケース部１４の内部には、モータ３とインバータ部１との電気的な接続をとるための接続端子部６１、６８および６９が収容されている。
【００７０】
また、本実施形態では、図２４に示すように、第１ケース部１１と第４ケース部１４と第２ケース部１２とが結合された際において、第４ケース部１４の内部には、モータ３の端子ＴＵ３、ＴＶ３、ＴＷ３、ＴＵ４、ＴＶ４およびＴＷ４（図１参照）に対応する６個の接続端子部６１と、巻線切替部４のＴＵ５、ＴＶ５、ＴＷ５、ＴＵ６、ＴＶ６およびＴＷ６（図１参照）に対応する６個の接続端子部６５とが互いにねじ止めされた状態で収容されている。すなわち、本実施形態では、第１ケース部１１と第４ケース部１４と第２ケース部１２とが結合された際において、第４ケース部１４の内部には、モータ３と巻線切替部４との電気的な接続をとるための接続端子部６１および６５が収容されている。
【００７１】
また、本実施形態では、図２１および図２２に示すように、第４ケース部１４の側面部１４１には、矩形形状を有する開口１４１ｃおよび１４１ｄが設けられている。開口１４１ｃは、側面部１４１のＢ方向の中央部近傍で、かつ、矢印Ｃ１方向側の部分に１個設けられている。また、開口１４１ｄは、側面部１４１のＣ方向の中央部近傍で、かつ、矢印Ｂ１方向側および矢印Ｂ２方向側の部分にそれぞれ１個ずつ設けられている。ここで、第４ケース部１４の側面部１４１には、開口１４１ｃおよび１４１ｄを覆うように、板状の第２蓋部１６が３個取り付けられる。この第２蓋部１６は、ねじ部材４５によって側面部１４１にねじ止めされるように構成されている。
【００７２】
図２４に示すように、開口１４１ｃは、第４ケース部１４と第２ケース部１２とが結合された際に第４ケース部１４に収容される接続端子部６８および６９に対応する部分に設けられている。これにより、第４ケース部１４と第２ケース部１２とを結合した際に、第２ケース部１２のインバータ部１の端子ＴＵ１、ＴＶ１およびＴＷ１（図１参照）に対応する接続端子部６３に接続される接続端子部６９と、第４ケース部１４の内部の接続端子部６８とのねじ止め作業を、開口１４１ｃを介して第４ケース部１４の外部から行うことが可能である。
【００７３】
また、図２４に示すように、開口１４１ｄは、第１ケース部１１と第４ケース部１４と第２ケース部１２とが結合された際に第４ケース部１４に収容される接続端子部６１および６５に対応する部分に設けられている。これにより、第１ケース部１１と第４ケース部１４と第２ケース部１２とを結合した際に、モータ３の端子ＴＵ３、ＴＶ３、ＴＷ３、ＴＵ４、ＴＶ４およびＴＷ４（図１参照）に対応する６個の接続端子部６１と、巻線切替部４のＴＵ５、ＴＶ５、ＴＷ５、ＴＵ６、ＴＶ６およびＴＷ６（図１参照）に対応する６個の接続端子部６５とのねじ止め作業を、開口１４１ｄを介して第４ケース部１４の外部から行うことが可能である。
【００７４】
なお、本実施形態では、図２３および図２４に示すように、底面部１４２には、第４ケース部１４と第１ケース部１１とを結合した際に、モータ３の端子ＴＵ２、ＴＶ２およびＴＷ２（図１参照）に対応する３個の接続端子部６１と、モータ３の端子ＴＵ３、ＴＶ３、ＴＷ３、ＴＵ４、ＴＶ４およびＴＷ４（図１参照）に対応する６個の接続端子部６１とを通過させるための３個の第３穴部１４２ｂが設けられている。
【００７５】
次に、図２〜図４および図２４を参照して、本発明の一実施形態によるモータ駆動部１０の組み立て手順について説明する。
【００７６】
まず、図３および図４に示すように、内部にモータ３を収容した第１ケース部１１と、第４ケース部１４とを、六角穴付きねじ４１を用いてＡ方向に締結することにより結合する。具体的には、まず、第４ケース部１４のねじ挿入穴１４１ａと、第１ケース部１１のねじ穴１１１ａとの位置を合わせる。そして、ねじ挿入穴１４１ａに六角穴付きねじ４１を挿入して、ねじ穴１１１ａに六角穴付きねじ４１を螺合する。なお、このとき、第１ケース部１１と第４ケース部１４との間の境界部分（図３および図４の斜線部参照）に、液状のシール剤を塗布して乾燥させることによってシール部材５０を形成する。また、このとき、第４ケース部１４の底面部１４２の軸受１４２ａに、モータ３の回転軸３１の矢印Ａ１方向側の端部を接続する。
【００７７】
また、このとき、図２４に示すように、モータ３の端子ＴＵ２、ＴＶ２およびＴＷ２（図１参照）に対応する３個の接続端子部６１を、第４ケース部１４の第３穴部１４２ｂを介して第４ケース部１４の内部に導入する。そして、このように導入した接続端子部６１と、第４ケース部１４の内部に絶縁部材（図示せず）を介して取り付けられた接続端子部６８とをねじ止めすることにより接続する。また、このとき、モータ３の端子ＴＵ３、ＴＶ３、ＴＷ３、ＴＵ４、ＴＶ４およびＴＷ４（図１参照）に対応する６個の接続端子部６１も、第３穴部１４２ｃを介して第４ケース部１４の内部に導入する。
【００７８】
次に、図３および図４に示すように、上記第１ケース部１１と結合した状態の第４ケース部１４と、インバータモジュール１ａおよび巻線切替モジュール４ａを取り付けた第２ケース部１２とを、六角穴付きねじ４２を用いてＡ方向に締結することにより結合する。具体的には、まず、第２ケース部１２のねじ挿入穴１２１ａと、第４ケース部１４のねじ穴１４１ｂとの位置を合わせる。そして、ねじ挿入穴１２１ａに六角穴付きねじ４２を挿入して、ねじ穴１４１ｂに六角穴付きねじ４２を螺合する。なお、このとき、第２ケース部１２と第４ケース部１４との間の境界部分（図３および図４の斜線部参照）に、液状のシール剤を塗布して乾燥させることによってシール部材５０を形成する。また、このとき、図２４に示すように、インバータモジュール１ａのインバータ部１の端子ＴＵ１、ＴＶ１およびＴＷ１（図１参照）に対応する接続端子部６３と、Ｌ字形状の接続端子部６９とをねじ止めすることにより接続する。
【００７９】
そして、図２４に示すように、上記インバータ部１の端子ＴＵ１、ＴＶ１およびＴＷ１（図１参照）に対応する接続端子部６３に接続された接続端子部６９と、第４ケース部１４の内部に設けられた接続端子部６８とを、開口１４１ｃを介してねじ止めすることにより接続する。これにより、インバータ部１の端子ＴＵ１、ＴＶ１およびＴＷ１（図１参照）と、モータ３の端子ＴＵ２、ＴＶ２およびＴＷ２（図１参照）とを電気的に接続する。また、巻線切替モジュール４ａの巻線切替部４の端子ＴＵ５、ＴＶ５、ＴＷ５、ＴＵ６、ＴＶ６およびＴＷ６（図１参照）に対応する接続端子部６５と、モータ３の端子ＴＵ３、ＴＶ３、ＴＷ３、ＴＵ４、ＴＶ４およびＴＷ４（図１参照）に対応する６個の接続端子部６１とを、開口１４１ｄを介してねじ止めすることにより接続する。そして、開口１４１ｃと１４１ｄとを覆うように、ねじ部材４５を用いて第４ケース部１４に第２蓋部１６を取り付ける。なお、このとき、第４ケース部１４と第２蓋部１６との間の部分（図３および図４の斜線部参照）に、液状のシール剤を塗布して乾燥させることによってシール部材５０を形成する。
【００８０】
次に、図３および図４に示すように、上記第１ケース部１１および第４ケース部１４と結合した状態の第２ケース部１２と、平滑コンデンサ２、制御基板５ａおよび電源基板６ａを取り付けた第３ケース部１３とを、六角穴付きねじ４３を用いてＡ方向に締結することにより結合する。具体的には、まず、第３ケース部１３のねじ挿入穴１３１ａと、第２ケース部１２のねじ穴１２１ｂとの位置を合わせる。そして、ねじ挿入穴１３１ａに六角穴付きねじ４３を挿入して、ねじ穴１２１ｂに六角穴付きねじ４３を螺合する。なお、このとき、第２ケース部１２と第３ケース部１３との間の境界部分（図３および図４の斜線部参照）に、液状のシール剤を塗布して乾燥させることによってシール部材５０を形成する。そして、図２４に示すように、第２ケース部１２の内部の接続端子部６４と、第３ケース部１３の内部の平滑コンデンサ２の接続端子部６６とをねじ止めすることにより接続する。また、このとき、第２ケース部１２内のインバータモジュール１ａおよび巻線切替モジュール４ａと、第３ケース部１３内の制御基板５ａおよび電源基板６ａとを、第１隔壁１２２の第１穴部１２２ａおよび第２隔壁１３２の第２穴部１３２ａを通過させた接続配線（図示せず）を介して接続する。また、制御基板５ａと、モータ駆動部１０の外部に設けられる車両１００全体の制御部（図示せず）とを、第３ケース部１３の側面部１３１の貫通孔１３１ｃを通過させた接続配線６０を介して接続する。
【００８１】
最後に、図３および図４に示すように、第１ケース部１１、第４ケース部１４および第２ケース部１２と結合した第３ケース部１３の矢印Ａ１方向側を密閉するように、第３ケース部１３に第１蓋部１５を取り付ける。具体的には、まず、第１蓋部１５のねじ挿入穴１５ａと、第３ケース部１３のねじ穴１３１ｂとの位置を合わせる。そして、ねじ挿入穴１５ａにねじ部材４４を挿入して、ねじ穴１３１ｂにねじ部材４４を螺合する。なお、このとき、第３ケース部１３と第１蓋部１５との間の部分（図３および図４の斜線部参照）に、液状のシール剤を塗布して乾燥させることによってシール部材５０を形成する。
【００８２】
以上のようにして、本発明の一実施形態によるモータ駆動部１０（図２参照）の組み立てが行われる。
【００８３】
本実施形態では、上記のように、インバータ部１、モータ３および巻線切替部４を収容する第１ケース部１１、第２ケース部１２、第３ケース部１３および第４ケース部１４を設け、第１ケース部１１、第４ケース部１４、第３ケース部１３および第２ケース部１２を互いに結合する。これにより、インバータ部１、モータ３および巻線切替部４を収容した第１ケース部１１、第２ケース部１２、第３ケース部１３および第４ケース部１４を互いに結合して一体化することができるので、インバータ部１、モータ３および巻線切替部４が収容される各ケース部間にデッドスペースが生じるのを抑制することができる。その結果、モータ駆動部１０の省スペース化を図ることが可能な車両１００を提供することができる。特に、限られた配置スペース内に多数の部材を配置する必要のある車両１００においてこの効果は有効である。
【００８４】
また、本実施形態では、上記のように、モータ３を、インバータ部１および巻線切替部４とは別の単一の第１ケース部１１に収容する。これにより、インバータ部１および巻線切替部４を、発熱体であるモータ３から離間させて熱による影響を受けにくくすることができるので、インバータ部１および巻線切替部４を良好に動作させることができる。また、インバータ部１とモータ３と巻線切替部４とを全て同じ単一のケース部に収容する場合と比較すると、分解や組み立てが容易になるので、メンテナンス作業を迅速（またはメンテナンス作業時間が短縮）に行うことができる。
【００８５】
また、本実施形態では、上記のように、モータ３を第１ケース部１１に収容するともに、インバータ部１および巻線切替部４を第２ケース部１２に収容する。これにより、インバータ部１と巻線切替部４とをそれぞれ異なる２つのケース部に収容する場合と異なり、インバータ部１とモータ２と巻線切替部４とを含めた簡素な装置外形を形成することができる。
【００８６】
また、本実施形態では、上記のように、インバータ部１と巻線切替部４とを隔離する第１隔壁１２２を第２ケース部１２に設ける。そして、第２ケース部１２の第１隔壁１２２に対してモータ３とは反対側（矢印Ａ１方向側）の領域にインバータ部１を配置し、第２ケース部１２の第１隔壁１２２に対してインバータ部１とは反対側（矢印Ａ２方向側）の領域に巻線切替部４を配置する。これにより、第１隔壁１２２の両側（矢印Ａ１方向側および矢印Ａ２方向側）のスペース（領域）を利用して、インバータ部１と巻線切替部４とを互いに分離した状態で第２ケース部１２の内部に容易に配置することができる。
【００８７】
また、第２ケース部１２の第１隔壁１２２に対してモータ３とは反対側（矢印Ａ１方向側）の領域にインバータ部１を配置し、第２ケース部１２の第１隔壁１２２に対してインバータ部１とは反対側（矢印Ａ２方向側）の領域に巻線切替部４を配置することにより、モータ３に接続される端子の数（端子ＴＵ１、ＴＶ１およびＴＷ１（図１参照）の３個）が巻線切替部４よりも少ないインバータ部１をモータ３からより遠い位置に配置することができるとともに、モータ３に接続される端子（端子ＴＵ５、ＴＶ５、ＴＷ５、ＴＵ６、ＴＶ６およびＴＷ６（図１参照）の６個）の数がインバータ部１よりも多い巻線切替部４をモータ３により近い位置に配置することができる。これにより、モータ３とインバータ部１および巻線切替部４との端子間の配線の全体の長さを小さくすることができるので、その分、配線インダクタンスを低減することができる。
【００８８】
また、本実施形態では、上記のように、インバータ部１および巻線切替部４に接続される配線（たとえば、インバータ部１の接続端子部６３にねじ止めされることにより接続される接続端子部６９（図２４参照）や、制御部５からの制御信号をインバータ部１および巻線切替部４に伝送するための配線（図示せず）など）を通過させる第１穴部１２２ａを第１隔壁１２２に設ける。これにより、インバータ部１および巻線切替部４に接続される配線を第１穴部１２２ａを通過させて第２ケース部１２の内部に収容することができるので、インバータ部１および巻線切替部４に接続される配線を配置するためのスペースを第２ケース部１２の外部に確保する必要がない。その結果、モータ駆動部１０の更なる省スペース化を図ることができる。
【００８９】
また、本実施形態では、上記のように、第１ケース部１１および第２ケース部１２に、それぞれ、モータ３を冷却するための第１冷却管１１３、および、インバータ部１および巻線切替部４を冷却するための第２冷却管１２３を設ける。これにより、第１冷却管１１３によってモータ３を容易に冷却することができるとともに、第２冷却管１２３によってインバータ部１および巻線切替部４を容易に冷却することができる。
【００９０】
また、本実施形態では、上記のように、インバータ部１のスイッチ素子Ｑ１〜Ｑ６と、巻線切替部４の高速巻線切替スイッチＳＷ１および低速巻線切替スイッチＳＷ２とオーバラップするように第２冷却管１２３を設ける。これにより、発熱体であるスイッチ素子Ｑ１〜Ｑ６と、高速巻線切替スイッチＳＷ１および低速巻線切替スイッチＳＷ２とを第２冷却管１２３によって効果的に冷却することができる。
【００９１】
また、本実施形態では、上記のように、モータ３、インバータ部１および巻線切替部４に加えて、制御部５も、互いに結合した第１ケース部１１、第４ケース部１４、第２ケース部１２および第３ケース部１３内に収容する。これにより、制御部５を収容するための専用のケース部を別途設ける場合と異なり、インバータ部１、モータ３、巻線切替部４および制御部５が収容される各ケース部間にデッドスペースが生じるのをより抑制することができる。
【００９２】
また、本実施形態では、上記のように、モータ３、インバータ部１、巻線切替部４および制御部５に加えて、電源部６も、互いに結合した第１ケース部１１、第４ケース部１４、第２ケース部１２および第３ケース部１３内に収容する。これにより、電源部６を収容するための専用のケース部を別途設ける場合と異なり、インバータ部１、モータ３、巻線切替部４、制御部５および電源部６が収容される各ケース部間にデッドスペースが生じるのをさらに抑制することができる。
【００９３】
また、本実施形態では、上記のように、制御部５および電源部６を第３ケース部１３に収容する。これにより、制御部５と電源部６とをそれぞれ異なる２つのケース部に収容する場合と異なり、装置構成を簡素化することができる。
【００９４】
また、本実施形態では、上記のように、制御部５と電源部６とを隔離する第２隔壁１３２を第３ケース部１３に設ける。そして、第３ケース部１３の第２隔壁１３２に対してモータ３、インバータ部１および巻線切替部４とは反対側（矢印Ａ１方向側）の領域に制御部５を配置し、第３ケース部１３の第２隔壁１３２に対して制御部５とは反対側（矢印Ａ２方向側）の領域に電源部６を配置する。これにより、第２隔壁１３２の両側（矢印Ａ１方向側および矢印Ａ２方向側）のスペース（領域）を利用して、制御部５と電源部６とを第３ケース部１３の内部に容易に配置することができる。また、第２隔壁１３２により、制御部５を、発熱体であるモータ３、インバータ部１および巻線切替部４から離間させて熱による影響を受けにくくすることができるので、制御部５を良好に動作させることができる。
【００９５】
また、本実施形態では、上記のように、制御部５および電源部６に接続される配線（たとえば、インバータ部１の端子ＴＰ１およびＴＮ１（図１参照）に対応する一対の接続端子部６４（図９、図１１および図２４参照）や、制御部５からの制御信号を伝送するための配線（図示せず）など）を通過させる第２穴部１３２ａを第２隔壁１３２に設ける。これにより、制御部５および電源部６に接続される配線を、第２穴部１３２ａを通過させて第３ケース部１３の内部に収容することができるので、制御部５および電源部６に接続される配線を配置するためのスペースを第３ケース部１３の外部に確保する必要がない。その結果、モータ駆動部１０の更なる省スペース化を図ることができる。
【００９６】
また、本実施形態では、上記のように、第３ケース部１３の第２隔壁１３２に対して制御部５と同じ側（矢印Ａ１方向側）の領域に平滑コンデンサ２を配置する。これにより、第２隔壁１３２により、平滑コンデンサ２を、発熱体であるモータ３、インバータ部１および巻線切替部４から離間させて熱による影響を受けにくくすることができるので、平滑コンデンサ２の熱による性能の低下を抑制して信頼性（寿命）をより向上させることができる。
【００９７】
また、本実施形態では、上記のように、モータ３を収容した第１ケース部１１と、インバータ部１および巻線切替部４を収容した第２ケース部１２と、制御部５および電源部６を収容した第３ケース部１３とを、互いにモータ３の回転軸３１の延びる方向（Ａ方向）に沿って結合する。これにより、第１ケース部１１と第２ケース部１２と第３ケース部１３とを互いに結合してモータ３の回転軸３１の延びる方向（Ａ方向）に沿って延びる直線状に構成することができるので、装置構成を簡素化することができる。また、第１ケース部１１と第２ケース部１２と第３ケース部１３とを互いに結合して直線状に構成しない場合と異なり、デッドスペースが生じるのをより抑制することができる。
【００９８】
また、本実施形態では、上記のように、第１ケース部１１、第２ケース部１２および第３ケース部１３を、それぞれ、モータ３の回転軸３１の延びる方向（Ａ方向）に沿って延びる円筒状に形成する。これにより、円筒状の第１ケース部１１と第２ケース部１２と第３ケース部１３とをモータ３の回転軸３１の延びる方向（Ａ方向）に沿って容易に結合することができる。
【００９９】
また、本実施形態では、上記のように、第３ケース部１３の第１ケース部１１および第２ケース部１２とは反対側（矢印Ａ１方向側）に、第１ケース部１１を密閉する第１蓋部１５を設ける。これにより、第１蓋部１５によって、第３ケース部１３の第１ケース部１１および第２ケース部１２とは反対側（矢印Ａ１方向側）から異物が侵入するのを抑制することができる。
【０１００】
また、本実施形態では、上記のように、モータ３とインバータ部１および巻線切替部４との電気的な接続をとるための接続端子部６１、６５、６８および６９を収容する第４ケース部１４を設け、第４ケース部１４を第１ケース部１１と第２ケース部１２との間に配置した状態で、第１ケース部１１、第４ケース部１４、第２ケース部１２および第３ケース部１３を互いにモータ３の回転軸３１の延びる方向（Ａ方向）に沿って結合する。これにより、モータ３とインバータ部１および巻線切替部４との電気的な接続をとるための接続端子部６１、６５、６８および６９を第４ケース部１４の内部に収容することができるので、接続端子部６１、６５、６８および６９を配置するためのスペースを第４ケース部１４の外部に確保する必要がない。その結果、モータ駆動部１０の更なる省スペース化を図ることができる。
【０１０１】
また、第４ケース部１４を第１ケース部１１と第２ケース部１２との間に配置することにより、第２ケース部１２に収容されたインバータ部１および巻線切替部４と、第３ケース部１３に収容された制御部５および電源部６とを、第１ケース部１１に収容された発熱体であるモータ３から離間させて熱による影響を受けにくくすることができるので、インバータ部１、巻線切替部４、制御部５および電源部６を良好に動作させることができる。
【０１０２】
また、本実施形態では、上記のように、第４ケース部１４の側面部１４１のうちの接続端子部６１、６８および６９に対応する部分、および、接続端子部６１および６５に対応する部分のそれぞれに開口１４１ｃおよび１４１ｄを設け、開口１４１ｃおよび１４１ｄを覆う開閉可能な第２蓋部１６を設ける。これにより、接続端子部６１、６５、６８および６９の接続作業およびメンテナンス作業を、開口１４１ｃおよび１４１ｄを介して容易に行うことができる。また、開口１４１ｃおよび１４１ｄを第２蓋部１６により覆うことによって、開口１４１ｃおよび１４１ｄを介して異物が侵入するのを抑制することができる。
【０１０３】
また、本実施形態では、上記のように、第１ケース部１１、第４ケース部１４、第２ケース部１２および第３ケース部１３の互いに結合されている部分と、第３ケース部１３と第１蓋部１５との間の部分と、第４ケース部１４と第２蓋部１６との間の部分（図３および図４の斜線で示した部分参照）とをシール部材５０により封止する。これにより、シール部材５０によって、第１ケース部１１、第４ケース部１４、第２ケース部１２および第３ケース部１３の互いに結合されている部分、第３ケース部１３と第１蓋部１５との間の部分、および、第４ケース部１４と第２蓋部１６との間の部分から異物が侵入するのを抑制することができる。
【０１０４】
また、本実施形態では、上記のように、インバータ部１のスイッチ素子Ｑ１〜Ｑ６と、巻線切替部４の高速巻線スイッチＳＷ１および低速巻線スイッチＳＷ２とを、ＳｉＣからなる半導体により構成する。これにより、スイッチ素子Ｑ１〜Ｑ６と、高速巻線スイッチＳＷ１および低速巻線スイッチＳＷ２とが耐熱性に優れたＳｉＣからなる半導体により構成されるので、スイッチ素子Ｑ１〜Ｑ６、高速巻線スイッチＳＷ１および低速巻線スイッチＳＷ２自身の動作による発熱、および、モータ３の巻線３ａおよび３ｂから接続配線６２などを介して伝達される熱に対して、インバータ部１のスイッチ素子Ｑ１〜Ｑ６と、巻線切替部４の高速巻線スイッチＳＷ１および低速巻線スイッチＳＷ２とを良好に動作させることができる。
【０１０５】
また、本実施形態では、上記のように、第１ケース部１１、第４ケース部１４、第２ケース部１２および第３ケース部１３を、六角穴付きねじ４１〜４３によって互いに締結することにより結合する。これにより、六角穴付きねじ４１〜４３によって、第１ケース部１１と第４ケース部１４と第２ケース部１２と第３ケース部１３とを容易に結合することができる。
【０１０６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０７】
たとえば、上記実施形態では、本発明のモータ駆動装置を、車両に搭載されたモータ駆動部に適用する例を示したが、本発明はこれに限らない。本発明のモータ駆動装置は、車両に搭載されたモータ駆動部以外の一般的なモータ駆動装置にも適用可能である。
【０１０８】
また、上記実施形態では、モータ、巻線切替部およびインバータ部（電力変換部）に加えて、制御部および電源部も、互いに結合された第１ケース部、第２ケース部、第３ケース部および第４ケース部（４個（複数）のケース部）に収容される例を示したが、本発明はこれに限らない。本発明では、モータ、巻線切替部、電力変換部、制御部および電源部のうちの少なくともモータ、巻線切替部および電力変換部が、互いに結合された複数のケース部に収容されていればよい。なお、この場合、少なくともモータ、巻線切替部および電力変換部が、互いに結合された２個または３個のケース部に収容されていてもよいし、互いに結合された５個以上のケース部に収容されていてもよい。
【０１０９】
また、上記実施形態では、モータと巻線切替部およびインバータ部（電力変換部）との電気的な接続をとるための接続端子部を収容する第４ケース部を設ける例を示したが、本発明はこれに限らない。本発明では、第４ケース部を設けずに、第１ケース部、第２ケース部および第３ケース部のみを互いに結合するようにしてもよい。
【０１１０】
また、上記実施形態では、巻線切替部およびインバータ部（電力変換部）とは別の単一のケース部にモータを収容する例を示したが、本発明はこれに限らない。本発明では、たとえば、モータと巻線切替部とを同じケース部に収容して、電力変換部をモータおよび巻線切替部とは別のケース部に収容してもよい。また、モータと電力変換部とを同じケース部に収容して、巻線切替部をモータおよび電力変換部とは別のケース部に収容してもよい。
【０１１１】
また、上記実施形態では、第２ケース部に巻線切替部とインバータ部（電力変換部）とを収容する例を示したが、本発明はこれに限らない。本発明では、第２ケース部に巻線切替部および電力変換部の一方を収容して、第２ケース部以外のケース部に巻線切替部および電力変換部の他方を収容してもよい。
【０１１２】
また、上記実施形態では、本発明の第１冷却部および第２冷却部として、それぞれ、冷却液が流れる第１冷却管および第２冷却管を用いる例を示したが、本発明はこれに限らない。本発明では、第１冷却部および第２冷却部として、液冷以外の冷却手段（たとえば、空冷や、冷却素子など）を用いてもよい。
【０１１３】
また、上記実施形態では、巻線切替部およびインバータ部（電力変換部）を冷却するための第２冷却管（第２冷却部）の一方端部と、モータを冷却するための第１冷却管（第１冷却部）の他方端部とを接続する例を示したが、本発明はこれに限らない。本発明では、第１冷却部と第２冷却部とを接続せずに、第１冷却部と第２冷却部とによってモータと巻線切替部および電力変換部とをそれぞれ別個に冷却してもよい。
【０１１４】
また、上記実施形態では、第１ケース部、第２ケース部、第３ケース部および第４ケース部を、モータの回転軸の延びる方向に沿って結合する例を示したが、本発明はこれに限らない。本発明では、第１ケース部、第２ケース部、第３ケース部および第４ケース部を、たとえばモータの回転軸の延びる方向と直交する方向に沿って結合してもよい。
【０１１５】
また、上記実施形態では、第１ケース部、第４ケース部、第２ケース部および第３ケース部を、それぞれ、モータの回転軸の延びる方向に沿って延びる円筒状に形成する例を示したが、本発明はこれに限らない。本発明では、第１ケース部、第４ケース部、第２ケース部および第３ケース部を、それぞれ、円筒状以外の形状（たとえば、箱形状）に形成してもよい。
【０１１６】
また、上記実施形態では、第１ケース部、第４ケース部、第２ケース部および第３ケース部の互いに結合されている部分と、第３ケース部と第１蓋部との間の部分と、第４ケース部と第２蓋部との間の部分とを封止するシール部材として、液状のシール剤を乾燥させて形成したシール部材を用いる例を示したが、本発明はこれに限らない。本発明では、シール部材として、Ｏ−リング、ガスケットおよびグリースなどを用いてもよい。
【０１１７】
また、本発明では、第１ケース部、第４ケース部、第２ケース部および第３ケース部の互いに結合されている部分に、断熱部材を設けてもよい。このようにすれば、第１ケース部、第４ケース部、第２ケース部および第３ケース部を互いに熱的に分離することができるので、第１ケース部、第４ケース部、第２ケース部および第３ケース部を個別に冷却する場合における冷却効果をより高めることができる。
【０１１８】
また、上記実施形態では、インバータ部（電力変換部）のスイッチ素子と、巻線切替部の高速巻線切替スイッチおよび低速巻線切替スイッチ（スイッチ素子）とを、ＳｉＣからなる半導体により構成する例を示したが、本発明はこれに限らない。本発明では、電力変換部および巻線切替部のスイッチ素子をＳｉＣからなる半導体以外の半導体（たとえば、Ｓｉからなる半導体）により構成してもよいし、半導体以外のスイッチ素子により構成してもよい。
【０１１９】
また、上記実施形態では、第１ケース部、第２ケース部、第３ケース部および第４ケース部を、六角穴付きねじ（締結部材）によって互いに締結することにより結合する例を示したが、本発明はこれに限らない。本発明では、第１ケース部、第２ケース部、第３ケース部および第４ケース部を、六角穴付きねじ以外の締結部材（たとえば、カシメ部材など）を用いて互いに締結することにより結合してもよい。また、本発明では、第１ケース部、第２ケース部、第３ケース部および第４ケース部を締結部材を用いずに結合してもよい。たとえば、第１ケース部、第２ケース部、第３ケース部および第４ケース部を互いに溶接することにより結合してもよいし、接着剤によって接着することにより結合してもよい。
【図１】
0005565496.tif 000002
【図２】
0005565496.tif 000003
【図３】
0005565496.tif 000004
【図４】
0005565496.tif 000005
【図５】
0005565496.tif 000006
【図６】
0005565496.tif 000007
【図７】
0005565496.tif 000008
【図８】
0005565496.tif 000009
【図９】
0005565496.tif 000010
【図１０】
0005565496.tif 000011
【図１１】
0005565496.tif 000012
【図１２】
0005565496.tif 000013
【図１３】
0005565496.tif 000014
【図１４】
0005565496.tif 000015
【図１５】
0005565496.tif 000016
【図１６】
0005565496.tif 000017
【図１７】
0005565496.tif 000018
【図１８】
0005565496.tif 000019
【図１９】
0005565496.tif 000020
【図２０】
0005565496.tif 000021
【図２１】
0005565496.tif 000022
【図２２】
0005565496.tif 000023
【図２３】
0005565496.tif 000024
【図２４】
0005565496.tif 000025